(57)【要約】      （修正有）【課題】携帯性が良好で運搬しやすく、クラブを衝撃から十分に保護することができる折り畳み式のクラブ保護カバーを提供する。【解決手段】クラブ保護カバーは、第１、第２の左右側面パネル、左右正面パネル、背面パネル及びカバーパネルを含む。ドッキング機構は、左右正面パネルに配置される。第１の左右側面パネルは、それぞれ背面パネルの左右に配置され、第２の左側面パネルは第１の左側面パネルに接続され、第２の右側面パネルは第１の右側面パネルに接続され、左正面パネルは第２の左側面パネルに接続され、右正面パネルは第２の右側面のパネルに接続され、カバーパネルは背面パネルに接続される。左右正面パネルと背面パネルの下端は、第１、第２の左右側面パネルよりも低く、第１、第２の左右側面パネル下端部は、背面パネルを通じてカバーパネルと接続され、カバーパネルは折り目線に沿って開閉できる。【選択図】図１
0003220853.tif 000002
【実用新案登録請求の範囲】
【請求項１】
第１の左側面パネル、第２の左側面パネル、第１の右側面パネル、第２の右側面パネル、左側正面パネル、右側正面パネル、バックパネルおよびカバーパネルを備え、
左側正面パネルと右側正面パネルにはドッキング機構が設けられており、
第１の左側面パネル及び第１の右側面パネルは、それぞれバックパネルの左右に配置され、
第２の左側面パネルは、第１左側パネルに接続され、第２右側パネルは第１右側パネルに接続され、左側正面パネルは第２の左側面パネルに接続され、右側正面パネルは第２の右側面パネルに接続され、カバーパネルはバックパネルに接続され、
第１の左側面パネル、第２の左側面パネル、第１右側パネル、第２の右側面パネル、左側正面パネル、右側正面パネル、およびバックパネルの上端は、同じ水平面上にあり、
左側正面パネル、右側正面パネル及びバックパネルの下端部は、第１の左側面パネル、第２の左側面パネル、第１の右側面パネル及び第２の右側面パネルの下端よりも低い
折り畳み式クラブ保護カバー。
【請求項２】
前記カバーパネルには、前記バックパネルの一端にベルクロテープが固定的に設けられており、前記ベルクとテープは、それぞれカバーパネルの外側に伸びており、前記第２の左側面パネル側に隣接する左正面パネルの上端部には、第１ベルクロブロックが配置されており、前記第２の右側面パネルに隣接する前記右正面パネルの上端部には、第２ベルクロブロックが配置されている
請求項１に記載の折り畳み式クラブ保護カバー。
【請求項３】
前記折り畳み式のクラブ保護カバーの内壁は、柔らかい耐衝撃性の綿構造で結合されている
請求項１に記載の折り畳み式クラブ保護カバー。
【請求項４】
前記ドッキング機構は、ドッキングバックル構造である
請求項１乃至請求項３のいずれか1項に記載の折り畳み式クラブ保護カバー。
【請求項５】
前記ドッキング機構は、左側正面パネルに配置された雌バックルと、前記雌バックルともに使用するために右側正面パネルに配置された雄バックルの組み合わせである
請求項４に記載の折り畳み式クラブ保護カバー。
【請求項６】
前記ドッキング機構は、弾性バンドをさらに含み、前記雌バックルおよび前記雄バックルは、弾性バンドを介して前記右側正面パネルおよび前記左側正面パネルにそれぞれ接続される
請求項４に記載の折り畳み式区ラボ保護カバー。
【請求項７】
前記ドッキング機構は、左側正面パネルに配置された雄バックルと、前記雄バックルと係合するための前記右側正面パネルに配置された雌バックルとを含む
請求項４に記載の折り畳み式クラブ保護カバー。
【請求項８】
前記ドッキング機構は、弾性バンドをさらに含み、前記雄バックルおよび前記雌バックルは、弾性バンドによって左側正面パネルおよび右側正面パネルにそれぞれ接続される
請求項７に記載の折り畳み式クラブ保護カバー。
【請求項９】
前記折り畳み式のクラブ保護カバーの前端部および下端部は、ゴルフバッグのコンパートメントを保持するための引っ掛かり突起を形成する
請求項１乃至請求項３のいずれか１項に記載の折り畳み式クラブ保護カバー。
【請求項１０】
前記第１の左側面パネルの下端部および前記第１の右側面パネルの下端部近くであって前記バックパネルの隣接箇所にカート持ち部がある
請求項１乃至請求項３のいずれか１項に記載の折り畳み式クラブ保護カバー。
【考案の詳細な説明】
【技術分野】
【０００１】
本考案、ゴルフバッグの技術分野、特に折り畳み式のクラブ保護カバーに関する。
【背景技術】
【０００２】
従来、公知のゴルフバッグでは、そのフードは、単純な人工皮革またはナイロン布で作られている。
【０００３】
ここで、例えば、特許文献１では、ゴルフバッグ用フードカバーが開示されている。
【先行技術文献】
【特許文献】
【０００４】
【特許文献１】実用新案登録第３２１０４６５号公報
【考案の概要】
【考案が解決しようとする課題】
【０００５】
しかしながら、これらのクラブ保護キャップはすべて柔らかく、実際の使用過程ではクラブの保護に最良の効果を奏していない。特に、航空機で空の旅をするときの荷物の預け入れで現在一般的に使用されているクラブ保護キャップは、クラブを十分には保護できていない。従って、クラブに損害を与え、クラブの寿命を縮める可能性がある。
【０００６】
また、人々は移動中にクラブが損傷するのを防ぐために、通常、ジャケットの重い袋もゴルフバッグの外側に置かれますが、これは携帯と使用の面で非常に不便である。
【０００７】
本考案は、このような課題に鑑みてなされたものであり、その目的とするところは、折り畳み式で、運搬しやすく、クラブを十分に保護することができる折り畳み式のクラブ保護カバーを提供することにある。
【課題を解決するための手段】
【０００８】
上記課題を解決するために、本考案の一態様に係る折り畳み式のクラブカバーは、第１の左側面パネルと、第２の左側面パネルと、第１の右側面パネルと、第２の右側面パネルと、左側正面パネルと、右側正面パネルと、バックパネルと、カバーパネルを含む。左側正面パネルと右側正面パネルには、ドッキング機構が設けられており、第１の左側面パネル及び第１右側パネルは、それぞれバックパネルの左右に配置され、第２の左側のサイドパネルは第２の左側面パネルに接続され、第２の右側面パネルは第１の右側面パネルに接続され、左側の正面パネルは第２の左側面パネルに接続され、右側の正面パネルは第２の右側面パネルに接続され、カバーパネルはバックパネルに接続されている。第１の左側面パネル、第２の左側面パネル、第１の右側面パネル、第２の右側面パネル、左側正面パネル、右側正面パネル、およびバックパネルの上端は、同じ水平面上にある。左側正面パネル、右側正面パネル、及びバックパネルの下端部は、第１の左側面パネル、第２の左側面パネル、第１の右側面パネル及び第２の右側面パネルの下端よりも低い。
【０００９】
この態様において、カバーパネルは、バックパネルから離れた一端にべルクロ（登録商標）テープを固定して設けられてよい。マジックテープ（登録商標）は、それぞれカバーパネルの外側に伸びている。左側正面パネル側に隣接する第２の左側面パネルの上端部には、第１べルクロ（登録商標）ブロックが配置されている。右側正面パネル側に隣接する第２の右側面パネルの上端部には、第２べルクロ（登録商標）ブロックが配置されている。
【００１０】
この態様において、折りたたみ式クラブ保護カバーの内壁は、柔らかい耐衝撃性のコットン構造で結合されていてよい。
【００１１】
この態様において、ドッキング機構はドッキングバックル構成であってよい。
【００１２】
この態様において、ドッキング機構は、左側正面パネルに配置された雌スナップと、雌スナップと共に使用するために右側前面パネルに配置された雄スナップとを含んでよい。
【００１３】
この態様において、ドッキング機構は弾性バンドをさらに含み、雄バックルおよび雌バックルは、弾性バンドによって右側正面パネルおよび左側正面パネルにそれぞれ接続されていてよい。
【００１４】
この態様において、ドッキング機構は、左側正面パネルに配置された雄バックルと、雄バックルと合わせてするために右側正面パネルに配置された雌バックルを含んでよい。
【００１５】
この態様において、ドッキング機構は弾性バンドをさらに含み、雄バックルおよび雌バックルは、弾性バンドによって左側正面パネルおよび右側正面パネルにそれぞれ接続されていてよい。
【００１６】
この態様において、折り畳み式のクラブ保護カバーの正面および下端部は、ゴルフバッグのコンパートメントを保持するための捕捉突起を形成してよい。
【００１７】
この態様において、第１の左側面パネルおよび第１の右側面パネルの下端部は、バックパネルの近くにホルダーがあってよい。
【００１８】
要約すると、本考案の折り畳み式のクラブ保護カバーは、カバーパネルを後部パネルに接続する。第１の左側面パネル、第２の左側面パネル、左側前面パネル、及び第１の右側面パネル、第２の右側面パネル、右側正面パネルのそれぞれがバックパネルの両側に配置され、カバーパネルが折り線に沿って回転する。さらに、保護カバーを取り外すことなくゴルフクラブを取り外すことができ、使い勝手が良い。同時に、左側正面パネル、右側正面パネルおよびバックパネルの下端部は、第１の左側面パネル、第２の左側面パネル、第１の右側面パネル、第２の右側面パネルの下端よりも低く、組み立てられたクラブ保護カバーの表側及び裏側の下端部は、ゴルフバッグをしっかりと保持するための保持突起を形成する。
【考案の効果】
【００１９】
本考案によれば、折り畳み式で、運搬しやすく、クラブを十分に保護することができる折り畳み式のクラブカバーを提供することできる。
【図面の簡単な説明】
【００２０】
【図１】本考案の折り畳み式クラブ保護カバーの概略構成図である。
【図２】本考案の折り畳み式クラブ保護カバーの概略構成図である。
【図３】組み立て後の本考案の折り畳み式クラブ保護カバーの概略構成図である。
【図４】組み立て後の本考案の折り畳み式クラブ保護カバーの概略構造図である。
【図５】本考案の折り畳み式クラブ保護カバーとゴルフバッグとの組合せ図である。
【考案を実施するための形態】
【００２１】
以下、図面を参照しつつ本考案の一実施形態について説明する。
【００２２】
図１乃至図５に示されるように、本考案の折り畳み式クラブ保護カバーは、一体的に折り畳まれたパネル構造であり、折り畳み式クラブ保護カバー１００は、第１の左側面パネル１１０と第２の左側面パネル１２０とを含む。第１の右側面パネル１３０、第２の右側面パネル１４０、左側正面パネル１５０、右側正面パネル１６０、バックパネル１７０及びカバーパネル１８０を含む。左側正面パネル１５０及び右側正面パネル１６０には、ドッキング機構１９０が設けられている。
【００２３】
図３に示すように、ドッキング機構１９０はドッキングバックル構造となっており、ドッキング機構１９０は、左側正面パネル１５０に設けられた雌バックル１９１と、雌バックル１９１と共に使用するためのもので右側正面パネル１６０に設けられた雄バックル１９２とを含む。
【００２４】
別の実施形態では、ドッキング機構１９０、左側正面パネル１５０に配置された雄バックルと、右側賞めパネル１６０に配置された雌バックルとすることもできる。ドッキング機構１９０は、左側正面パネル１５０と右側正面パネル１６０の組立後に折り畳み式のクラブ保護カバー１００の安定性を向上させるために、固定されている。
【００２５】
折り畳み式のクラブ保護カバー１００は、バックパネル１７０を備える。第１の左側面パネル１１０と第１の右側面パネル１３０は、それぞれ、バックパネル１７０の左側と右側に配置されている。第２の左側面パネル１２０は、第１の左側面パネル１１０に連結され、第２の右側面パネル１４０は、第１の右側面パネル１３０に連結され、第１の左側面パネル１１０及び第２左側パネル１２０は折り目線に沿って内側に折り曲げられる。 折り畳み式クラブ保護カバー１００の左側面は折り畳まれており、第１の右側面パネル１３０及び第２の右側面パネル１４０は、折り目線に沿って内側に折り曲げられて折り畳み式クラブ保護カバー１００の右側面を形成する。
【００２６】
左側正面パネル１５０は、第２の左側面パネル１２０に連結され、右側正面パネル１６０は、第２の右側面パネル１４０に連結される。このとき、左側正面パネル１５０及び右側正面パネル１６０は、折り目線１０１に沿って折り曲げられる。
【００２７】
連結されると、左側正面パネル１５０と右側正面パネル１６０とで折り畳み式クラブ保護カバー１００の前面が形成され、ドッキング機構１９０によって左側正面パネル１５０と右側正面パネル１６０とが連結されて固定される。第１の左側面パネル１１０、第２の左側面パネル１２０、第１の右側面パネル１３０、第２の右側面パネル１４０、左側正面パネル１５０、右側正面パネル１６０及びバックパネル１７０は、ゴルフクラブを納めるための収納空間を囲むように形成され、折り畳み式のクラブ保護カバー１００は、前後および左右の衝撃力に耐えることができる。
【００２８】
カバーパネル１８０は、バックパネル１７０に連結される。カバーパネル１８０は、折り目線１０１を軸として開閉されて収容空間の開放または覆いを完了し、折り畳み式のクラブ保護カバー１００は衝撃に耐えることができる。従来のヘルメットキャップでは、上下の衝撃力からゴルフクラブをほとんど保護しなかったが、本考案では、効果的にゴルフクラブを位置固定する。
【００２９】
実施形態の一つでは、第１の左側面パネル１１０、第２の左側面パネル１２０、第１の右側面パネル１３０、第２の右側面パネル１４０、左側正面パネル１５０、右側正面パネル１６０及びバックパネル１７０の下端部は、組み立てられた折り畳み式クラブ保護カバー１００の表側及び裏側の下端部が、突き上げられたゴルフバッグ２００の区画室と係合して折り畳まれるように保持凸部１０２を形成する。
【００３０】
折り畳み式クラブ保護カバー１００は、ゴルフバッグ２００にしっかりと装着することができ、折り畳み式クラブ保護カバー１００の表裏の下端部は、ゴルフバッグ２００の大部分に適した保持凸部（係止突起）１０２の間隔を形成する。本考案に係る折り畳み式のクラブ保護カバー１００は、ゴルフバッグ２００の大部分を保持して固定するのに適しており、普遍性が強く、簡単で使い勝手が良い。
【００３１】
実施形態の一つでは、カバーパネル１８０は、バックパネル１７０の遠位端に固定して配置される。べルクロ（登録商標）ストリップ１８１は、カバーパネル１８０の外側に延在し、第２の左側面パネル１２０、左側正面パネル１５０の上端部には第１べルクロ（登録商標）ブロック１２１が配置され、右側正面パネル１６０の近傍には第２の右側面パネル１４０の上端部に第２べルクロ（登録商標）ブロック１４１が配置されている。折り畳み式のクラブ保護カバー１００を組み立てた後、べルクロ（登録商標）ストリップ１８１の左右両側を第１のべルクロ（登録商標）ブロック１２１と第２のべルクロ（登録商標）ブロック１４１にそれぞれ配置することにより、カバーパネル１８０を収納空間の上方に安定して覆うことができる。
【００３２】
実施形態の一つでは、ドッキング機構１９０は、それぞれ、弾性バンド１９３によって左右の正面パネルは結合される。
【００３３】
実施形態の一つでは、折り畳み式のクラブ保護カバー１００の内壁は、ゴルフクラブの効果的な保護のために、柔らかい耐衝撃性のコットン構造で結合されている。
【００３４】
実施形態の一つでは、第１の左側面パネル１１０および第１の右側面パネル１３０の下端部は、バックパネル１７０に向かって延びて折り畳み部１０３を延長し、折り畳み式クラブカバー１００をゴルフバッグ２００に対して更に持ち上げる。
【００３５】
本考案のゴルフバッグ２００の上端より、ゴルフクラブが挿入され、着脱自在の折り畳み式のクラブ保護カバー１００が装着される。折り畳み式のクラブ保護カバー１００によりゴルフクラブを覆うので、当該折り畳み式のクラブ保護カバー１００により、正面、背面、左右及び上下の衝撃に耐えることができる。ゴルフクラブを保護するスチールヘルメットと同様に強固にゴルフクラブを効果的にロックすることができる。ゴルフクラブの未使用時には、折りたたみ式クラブ保護カバー１００の保護を外す必要はない。折り畳み式のクラブ保護カバー１００は、べルクロ（登録商標）ストリップ（マジックテープ（登録商標））１８１をべルクロ（登録商標）ブロックから引っ張って、折り目線１０１に沿ってカバーパネル１８０を開けば、ゴルフクラブを便利に持ち上げることができ、ゴルフクラブを使用しないときは折り畳み式クラブ保護カバー１００により当該クラブが保護される。
【００３６】
折り畳み式のゴルフ保護カバー１００は、折り目線１０１により折り畳まれており、軽量で折り畳み可能であり、サイズが小さく、収納し易いため、航空機への搭乗の際など点検が必要な場合であっても、特別なゴルフバッグ２００は不要である。
【００３７】
要するに、本考案の折り畳み式クラブカバー１００は、カバーパネル１８０によってバックパネル１７０に接続され、第１の左側面パネル１１０、第２の左側面パネル１２０及び左側は、それぞれバックパネル１７０の反対側に配置される。フロントパネル１５０および第１の右側面パネル１３０、第２の右側面パネル１４０および右側正面パネル１６０は、折り目線１０１に沿ってカバーパネル１８０を開閉することができるので、クラブ保護カバー１００を取り外すことなくゴルフクラブを取り出せ、使い勝手が良好である。同時に、左側正面パネル１５０、右側正面パネル１６０、およびバックパネル１７０の下端部は、第１の左側面パネル１１０、第２の左側面パネル１２０、第１の右側面パネル１３０、および第２の右側面パネル１４０の下端部は、組み立てられた保護カバーの表裏面の後端部がゴルフバッグ２００にしっかりと保持される保持凸部１０２を形成するようになっている。
【００３８】
上述した実施形態は、本考案のいくつかある実施形態の単なる例示であり、その説明はより具体的かつ詳細であるが、本考案の範囲を限定するものとして解釈されるべきではない。本考案の精神および範囲から逸脱することなく、多くの変形および修正が当業者によってなされ得ることに留意すべきである。したがって、本考案の技術的範囲は、実用新案登録請求の範囲によって決定されるべきである。
【符号の説明】
【００３９】
１０２…保持凸部、１１０…第１の左側面パネル、１２０…第２の左側面パネル、１２１…第１べルクロ（登録商標）ブロック、１３０…第１の右側面パネル、１４０…第２の右側面パネル、１４１…第２べルクロ（登録商標）ブロック、１５０…左側正面パネル、１６０…右側正面パネル、１７０…バックパネル、１８０…カバーパネル、１８１…べルクロ（登録商標）ストリップ、１９０…ドッキング機構、１９１…雌バックル、１９２…雄バックル、１９３…弾性バンド。
【図１】
0003220853.tif 000003
【図２】
0003220853.tif 000004
【図３】
0003220853.tif 000005
【図４】
0003220853.tif 000006
【図５】
0003220853.tif 000007
【手続補正書】
【提出日】平成31年2月5日(2019.2.5)
【手続補正１】
【補正対象書類名】実用新案登録請求の範囲
【補正対象項目名】全文
【補正方法】変更
【補正の内容】
【実用新案登録請求の範囲】
【請求項１】
第１の左側面パネル、第２の左側面パネル、第１の右側面パネル、第２の右側面パネル、左側正面パネル、右側正面パネル、バックパネルおよびカバーパネルを備え、
前記左側正面パネルと前記右側正面パネルにはドッキング機構が設けられており、
前記第１の左側面パネル及び前記第１の右側面パネルは、それぞれ前記バックパネルの左右に配置され、
前記第２の左側面パネルは、前記第１の左側面パネルに接続され、前記第２の右側面パネルは前記第１の右側面パネルに接続され、前記左側正面パネルは前記第２の左側面パネルに接続され、前記右側正面パネルは前記第２の右側面パネルに接続され、前記カバーパネルは前記バックパネルに接続され、
前記第１の左側面パネル、前記第２の左側面パネル、前記第１の右側面パネル、前記第２の右側面パネル、前記左側正面パネル、前記右側正面パネル、および前記バックパネルの上端は、同じ水平面上にあり、
前記左側正面パネル、前記右側正面パネル及び前記バックパネルの下端部は、前記第１の左側面パネル、前記第２の左側面パネル、前記第１の右側面パネル及び前記第２の右側面パネルの下端よりも低い
折り畳み式クラブ保護カバー。
【請求項２】
前記カバーパネルには、前記バックパネルの一端に面ファスナーが固定的に設けられており、前記面ファスナーは、それぞれ前記カバーパネルの外側に伸びており、前記第２の左側面パネル側に隣接する前記左側正面パネルの上端部には、第１面ファスナーブロックが配置されており、前記第２の右側面パネルに隣接する前記右側正面パネルの上端部には、第２面ファスナーブロックが配置されている
請求項１に記載の折り畳み式クラブ保護カバー。
【請求項３】
前記折り畳み式クラブ保護カバーの内壁は、柔らかい耐衝撃性の綿構造で結合されている
請求項１に記載の折り畳み式クラブ保護カバー。
【請求項４】
前記ドッキング機構は、ドッキングバックル構造である
請求項１乃至請求項３のいずれか１項に記載の折り畳み式クラブ保護カバー。
【請求項５】
前記ドッキング機構は、前記左側正面パネルに配置された雌バックルと、前記雌バックルともに使用するために前記右側正面パネルに配置された雄バックルの組み合わせである
請求項４に記載の折り畳み式クラブ保護カバー。
【請求項６】
前記ドッキング機構は、弾性バンドをさらに含み、前記雌バックルおよび前記雄バックルは、前記弾性バンドを介して前記右側正面パネルおよび前記左側正面パネルにそれぞれ接続される
請求項５に記載の折り畳み式クラブ保護カバー。
【請求項７】
前記ドッキング機構は、前記左側正面パネルに配置された雄バックルと、前記雄バックルと係合するための前記右側正面パネルに配置された雌バックルとを含む
請求項４に記載の折り畳み式クラブ保護カバー。
【請求項８】
前記ドッキング機構は、弾性バンドをさらに含み、前記雄バックルおよび前記雌バックルは、前記弾性バンドによって前記左側正面パネルおよび前記右側正面パネルにそれぞれ接続される
請求項７に記載の折り畳み式クラブ保護カバー。
【請求項９】
前記折り畳み式クラブ保護カバーの前端部および下端部は、ゴルフバッグのコンパートメントを保持するための引っ掛かり突起を形成する
請求項１乃至請求項３のいずれか１項に記載の折り畳み式クラブ保護カバー。
【請求項１０】
前記第１の左側面パネルの下端部および前記第１の右側面パネルの下端部近くであって前記バックパネルの隣接箇所にカート持ち部がある
請求項１乃至請求項３のいずれか１項に記載の折り畳み式クラブ保護カバー。